Podtech/llm-jp-corpus-v4-ja_patent huggingface dataset:
(57)【要約】【課題】ニンニク特有のニオイや食後の口臭を極力減じながら、さらにそれに玄米発酵素の効能を加味してニンニクの効能と酵素の効能を相乗効果にて高めた加工食品である。【解決手段】玄米発酵素に生ニンニクを浸し込み、それを緩やかな遠赤外線にて長時間蒸しこむことにより、ニンニク特有のニオイや食後の口臭を極力減じ、独特の食感と甘みを持たせて、日々の食用を可能にすることに成功した。【選択図】　　なし【特許請求の範囲】
【請求項１】
ニンニクを玄米発酵素に漬け込み、ニンニクの成分に酵素の効果を加味することにより付加価値を付けて、よりニンニクの有効成分の効果を引き出す形とした製品。
【請求項２】
ニンニクを玄米発酵素に漬け込んだ後、さらにそれを特殊な専用蒸し器に入れて蒸し込むことにより、酵素の効果をさらにニンニクに注入することに成功した製品。
【請求項３】
蒸しあげる際に遠赤外線を発する物質を熱源との間に挟み込むことにより、ニンニクの内部の実のひとつひとつまで酵素を染み込ませることに成功した製造方法。
【発明の詳細な説明】
【０００１】
【発明の属する技術分野】
１．本発明は遠赤外線の効果によりニンニクの実のひとつひとつまで酵素がいきわたった結果、黒い色の状態にまで蒸しあげられた、従来にないニンニク臭の低減された機能性食品である。
２．本製品は生ニンニクに玄米発酵素と遠赤外線、さらに一定の条件にて特定温度（３０℃〜７０℃）を長時間（約２５０〜３５０時間）加えることにより加工された機能性食品である。
【０００２】
ニンニクは人がそれを摂取すると滋養強壮等身体に有効なことが、人類発祥以来経験的に確認されてきていた。ただしその主な有効成分であるアリシン等には独特の刺激臭があり、そのまま食するには敬遠されることが多かった。しかしながら、ニンニクの臭いを取り去ることはその有効成分もまた除去あるいは効果を薄められてしまう結果になるという矛盾を抱えていた。
【０００３】
この製品は、遠赤外線効果及びにて長時間にわたり酵素でニンニクを発酵させることにより、ニンニクの主成分はそのままに更に付加価値を付けて、より食しやすく恒常的に摂取することを可能とした。
【０００４】
【従来の技術】
過去のニンニク加工製品は、どうしてもニンニク特有の刺激臭と食後の口臭がするものがほとんどであり、それらを減じようとするとニンニク本来の効能まで減じてしまっていることがほとんどであった。
【０００５】
【発明が解決しようとする課題】
摂食時及び食後共に著しくニンニク臭の低減された、食感的にも優れたニンニク食品でありながらニンニク本来の主成分に更に付加価値を付けた機能性食品とする。
【０００６】
【課題を解決するための手段】
玄米発酵素液と長時間の遠赤外線作用により、ニンニクを独特な「酵素蒸し状態」にし、その結果としてニンニク特有のニオイを低減させ、かつ黒くて甘く食感の良い状態のニンニクにする。
【０００７】
【発明が解決しようとする課題】
ニンニク本来の人体に有効な成分を失うことなく更に付加価値を付けて、今までなかなか解決できなかった食後の口臭等ニンニク特有のニオイを極力減ずる機能性食品とする。
【０００８】
【課題を解決するための手段】
【実施例】
ニンニク特有の刺激臭、食後の口臭等を極力減ずるとともに、ニンニクを今までにない形で発酵させ黒色に変化させるために、玄米発酵素と遠赤外線を利用した蒸し行程を採用した。
【０００９】
【発明の効果】
ニンニク特有のニオイ、食後の口臭を大幅に減ずることに成功し、古来より精力増強、健康維持に格別の効能があるとされ、近年においては欧米でもガン抑止効果、肝機能増強の最も効果的な食材として注目を浴びているニンニクを酵素蒸しにすることにより更に付加価値を付けるとともにより身近に、かつ抵抗なく食せる状態とすることに成功した。
(57)【要約】【課題】本発明は、槌の突起部に溝を設けることにより、槌先部の嵌合を確実化することを目的とする。【解決手段】本発明によるパチンコ発射機の槌先構造は、突起部（３）の外周に形成された溝（２０）を有し、前記溝（２０）を覆うように槌先部（４）が設けられていることにより、パチンコ球飛びのバラツキを抑える構成である。【選択図】　　　　図１
2004121336.tif 000002
【特許請求の範囲】
【請求項１】
パチンコ発射機の発射装置に往復回動自在に設けられた槌（１）の先端の突起部（３）に取付けられた槌先部（４）によってパチンコ球（１０）を打つようにしたパチンコ発射機の槌先構造において、
前記突起部（３）の外周に形成された溝（２０）を有し、前記溝（２０）を覆うように前記槌先部（４）が設けられていることを特徴とするパチンコ発射機の槌先構造。
【請求項２】
前記溝（２０）は、螺旋溝からなることを特徴とする請求項１記載のパチンコ発射機の槌先構造。
【請求項３】
前記溝（２０）は、軸方向に沿って形成された複数の直線状溝からなることを特徴とする請求項１記載のパチンコ発射機の槌先構造。
【発明の詳細な説明】
【０００１】
【発明の属する技術分野】
本発明は、パチンコ発射機の槌先構造に関し、特に、槌先部を挿入する突起部の外周に溝を形成することにより、槌先部を挿入する時の空気の逃げ道とし、槌先部の容易で確実な挿入による取付けを達成するための新規な改良に関する。
【０００２】
【従来の技術】
従来、用いられていたこの種のパチンコ発射機の槌先構造としては、図３及び図４で示される構成が採用されていた。
すなわち、図３及び図４において、符号１で示されるものは、図示しないパチンコ発射機の発射装置の回転軸２に設けられた槌であり、この槌１の先端１ａに設けられた突起部３には、樹脂よりなり全体形状がキャップ状をなす槌先部４が挿入して設けられている。
前記槌先部４は、図４で示されるように突起部３に嵌合し、回転軸２がモータ又は回動ソレノイドによって往復回動することにより、槌先部４の先端部４ａによってパチンコ球１０を打つことができる。
【０００３】
【発明が解決しようとする課題】
従来のパチンコ発射機の槌先構造は、以上のように構成されていたため、次のような課題が存在していた。
すなわち、槌先部を挿入するための突起部の外周が周面のみで形成され、溝等の凹凸がないため、槌先部を挿入する際に、槌先部内に存在する空気の逃げ場がなく、挿入することが難しく、空気が内部に残って槌先部が浮くことがあり、その結果、パチンコ球の打球状態にバラツキが発生することがあった。
【０００４】
本発明は、以上のような課題を解決するためになされたもので、特に、槌先部を挿入する突起部の外周に溝を形成することにより、槌先部を挿入する時の空気の逃げ道とし、槌先部の容易で確実な挿入による取付けを達成するようにしたパチンコ発射機の槌先構造を提供することを目的とする。
【０００５】
【課題を解決するための手段】
本発明によるパチンコ発射機の槌先構造は、パチンコ発射機の発射装置に往復回動自在に設けられた槌の先端の突起部に取付けられた槌先部によってパチンコ球を打つようにしたパチンコ発射機の槌先構造において、前記突起部の外周に形成された溝を有し、前記溝を覆うように前記槌先部が設けられている構成であり、また、前記溝は、螺旋溝からなる構成であり、また、前記溝は、軸方向に沿って形成された複数の直線状溝からなる構成である。
【０００６】
【発明の実施の形態】
以下、図面と共に本発明によるパチンコ発射機の槌先構造の好適な実施の形態について説明する。尚、従来例と同一又は同等部分には同一符号を付して説明する。
図１及び図２において符号１で示されるものは、図示しないパチンコ発射機の発射装置の回転軸２に設けられた槌であり、この槌１の先端１ａに設けられた突起部３には、樹脂よりなり全体形状がキャップ状をなす槌先部４が挿入して設けられている。
【０００７】
前記槌先部４は、図２で示されるように突起部３に嵌合し、回転軸２がモータ又は回動ソレノイド等によって往復回動することにより、槌先部４の先端部４ａによってパチンコ球１０を打つことができるように構成されている。
【０００８】
前記突起部３の外周には、図示されているように螺旋溝からなる溝２０が形成されており、この溝２０を覆うように前記槌先部４が突起部３に嵌合されている。前述の場合、溝２０は突起部３の全長にわたって連続形成されているため、突起部３が槌先部４の凹部４ａ内に嵌入した場合に、この凹部４ａ内に残る空気はこの溝２０を介して外部へ逃げるため、突起部３に対する槌先部４の挿入動作が円滑に行われ、従来のように残留空気による槌先部４の浮き等は解消される。
尚、前記溝２０の形態は、螺旋溝に限ることなく、例えば、直線状の溝、曲線状の溝であって突起部３の全長にわたる状態で空気が抜ける形状であればよい。
【０００９】
【発明の効果】
本発明によるパチンコ発射機の槌先構造は、以上のように構成されているため、次のような効果を得ることができる。
すなわち、槌先部を嵌合する突起部の外周に溝が形成されているため、槌先部の凹部内の空気がこの溝を介して外部に導出され、突起部の所定位置に槌先部が浮きを伴うことなく嵌合でき、パチンコ球の飛びのバラツキを抑えることができる。
【図面の簡単な説明】
【図１】本発明によるパチンコ発射機の槌先構造を示す分解構成図である。
【図２】図１の嵌合状態を示す一部断面構成図である。
【図３】従来構成を示す一部断面構成図である。
【図４】図３の嵌合状態を示す一部断面構成図である。
【符号の説明】
１　　槌
３　　突起部
４　　槌先部
１０　　パチンコ球
２０　　溝
【図１】
2004121336.tif 000003
【図２】
2004121336.tif 000004
【図３】
2004121336.tif 000005
【図４】
2004121336.tif 000006
(57)【要約】【課　題】従来の車椅子は、腰の負担が大きく姿勢も悪くなりがちで歩行訓練にも適さず、いったん車椅子を使い始めると歩行能力が失われる傾向があった。またベッドやトイレなどへの移動にも不便なものであった。【解決手段】座席部分をバランスチェア方式とすることで腰の負担を軽くし、正しい姿勢を維持するとともにベッドやトイレへの移動を容易にし、歩行訓練も手軽に行えることで行動範囲を飛躍的に拡大し健康を回復することができる。【選択図】図１
2004121780.tif 000002
【特許請求の範囲】
【請求項１】
座席部分をバランスチェア方式とした車椅子
【発明の詳細な説明】
【０００１】
【発明の属する技術分野】
本発明は、座席部分をバランスチェア方式とし歩行訓練もできる車椅子に関する。
【０００２】
【従来の技術】
従来、高齢者や療養者には通常座席の車椅子や歩行補助車が使用されており、他方で事務用にバランスチェアが考案されていた。
【０００３】
【発明が解決しようとする課題】
これにはつぎのような欠点があった。
（イ）通常座席の車椅子は体重を主として腰部で支えるため腰の負担が大きく姿勢も悪くなるなどの問題があった。
（ロ）ベッドなどからの移乗が難しく歩行訓練にも適さなかった。
本発明は、これらの欠点を除くためになされたものである。
【０００４】
【課題を解決するための手段】
本発明は、体重を腰と膝で支え姿勢も良くなるバランスチェアの長所を取り入れ、腰部座席を折り畳み式とすることで歩行訓練もできるように考案した車椅子であり、ベッドやトイレからの移乗も車椅子の進行方向と身体の向きが同じなので容易に行うことができる。
【０００５】
【発明の実施の形態】
以下、本発明の実施の形態について図１〜図５に基づいて説明する。
（イ）図１のようにフレーム１　にバランスチェア方式の座席２（後輪一体型）を取り付ける。
（ロ）前輪３　と駆動輪４　を取り付ける。
（ハ）図２のように腰部座席は前方に折り畳み可能とし、後輪は地面より少し浮かす。
本発明は以上のような構造で、これを使用するときは後部から座席にまたがるように腰をかけ膝を曲げて図４のように着座する。体重を膝と腰の両方で支えるため負担が少なく姿勢もよくなって健康が増進する。またベッド等からの移乗も身体の方向を変える必要がないため容易であり、腰部座席を前方に折り畳むことにより図５のように歩行補助車としても使用できる。また後部に荷重し前輪を浮かす（図２の破線）ことで障害物を容易に乗り越えることができる。
【０００６】
【発明の効果】
足腰が弱り始めた高齢者や療養者がこの車椅子を使用することで正しい姿勢を維持し腰の負担が軽減されるとともに、ベッドやトイレへの移動が容易になる。また歩行訓練を実行することで行動範囲が飛躍的に拡大し健康回復が期待できる。
【図面の簡単な説明】
【図１】本発明の斜視図である。
【図２】本発明の側面図である。
【図３】本発明の平面図である。
【図４】使用時（着座）の側面図である。
【図５】使用時（歩行）の側面図である。
【符合の説明】
１　フレーム
２　座席（バランスチェア方式．後輪一体型）
３　前輪
４　駆動輪
【図１】
2004121780.tif 000003
【図２】
2004121780.tif 000004
【図３】
2004121780.tif 000005
【図４】
2004121780.tif 000006
【図５】
2004121780.tif 000007
(57)【要約】【課題】冷蔵庫で冷却され硬くなったバター等を、容易に安定してリボン状に薄く平均的な厚みに削り取ることが出来、削り取ったバターを、パンを潰すことなく、容易にパンの全面に平均的に延ばし拡げることが出来る、バターナイフを提供する。【解決手段】へら部分（１）に刃部（３）と開口部（４）及び刃台部（５）を設けたことを特徴とする。【選択図】　図１
2004121773.tif 000002
【特許請求の範囲】
【請求項１】
へら部分（１）と柄部（２）とを備えたバターナイフにおいて、前記へら部分（１）に刃部（３）と開口部（４）及び刃台部（５）を設けてなるバターナイフ。
【請求項２】
前記刃部（３）は、へら部分（１）と同一平面に形成、刃台部（５）は刃部（３）の付け根より傾斜して形成、刃台部（５）の先端部にソリ部（６）を形成してなる請求項１記載のバターナイフ。
【発明の詳細な説明】
【０００１】
【発明の属する技術分野】
本発明はバターナイフの改良に関するものである。
【０００２】
【従来の技術】
従来、パン等にバターを塗る場合、冷蔵庫で冷却され硬くなったバターの塊から、バターナイフのへら部分で必要量を切り取り、パンの上に置き、へら部分を使って平らに延ばすようにしている。
【０００３】
【発明が解決しようとする課題】
上述の如き従来技術のバターナイフには、次のような欠点があった。
（イ）　冷蔵庫で冷却され硬くなったバター等を、容易に薄く切り取ることが出来なかった。
（ロ）　切り取ったバターは厚みがあるため、パンの上で容易に溶けにくく、パン全面に平均的にバターを塗り拡げる事が難しかった。
（ハ）　焼かれたパンの温度が下がると、再びパンをトースターに入れ再加熱した後、バターを延ばし拡げなければならなかった。
（ニ）　焼かれたパンの温度が下がると、無理やりバターをバターナイフで延ばし拡げるため、パンが潰れてしまい、バターも溶かしながら延ばし拡げることが出来なかった。
本発明は、これらの従来技術の欠点を除き簡単な構造で、実用上有益なバターナイフを提供するために発明されたものである。
【０００４】
【課題を解決するための手段】
へら部分（１）と同一平面に刃部（３）を設け、刃部（３）の周りに開口部（４）の抜き穴を設ける、そして開口部（４）の周りに刃台部（５）を刃部（３）の付け根より傾斜して設ける。刃台部（５）の先端部に食い込み防止のためのソリ部（６）を設ける。
本発明は、以上の構成よりなるバターナイフである。
【０００５】
【発明の実施の形態】
以下、本発明の実施の形態について図面を参照しながら説明する。
【０００６】
図１に、本発明に係わるバターナイフの一例が示してある。このバターナイフはへら部分（１）と、このへら部分（１）から伸びた柄部分（２）を有する。
【０００７】
注目すべきは、このへら部分（１）の先端部分にへら部分（１）と同一平面に刃部（３）を、刃部（３）の周辺に薄く削られたリボン状のバターが通過する開口部（４）を、開口部（４）の周辺に鉋の鉋台に相当する刃台部（５）を設けたことである。
【０００８】
図４に横断面を示してある。刃台部（５）は、刃部（３）が刃台部（５）に対し、鉋の刃のような機能を生ずるよう、刃部（３）の付け根から傾斜を付けて設け、刃台部（５）の先端部に刃台部（５）がバターに食い込まないよう、ソリ部（６）を設けてなるものである。
本発明は以上の構成よりなっている。
【０００９】
本発明を使用する時は、次のようにバターは削り取られ、パンに塗り拡げることができる。
【００１０】
図（２）に使用状態の一例を示してある。刃台部（５）をバターの水平面に平行にあてがい、圧着させながら前方に動かす。この状態で刃部（３）は鉋状の刃となり、刃台部（５）の平らな面から少しバターに入り込んでいる。この入り込んだ刃によって、バターを刃の幅で薄くリボン状に連続して開口部（４）を通過させ、鉋のように削り取ることが出来る。
【００１１】
前方に動かす時、刃台部（５）はソリ部（６）により、食い込みを防止でき、円滑に動作を進めることが出来る。
【００１２】
バターの塊が冷蔵庫等で冷却され固い時、削り取られたバターはカール形状を作り、バターの温度が上がり柔らかくなると、平らなリボン形状を作り、いずれの場合もへら部分（１）の上に乗っている。
【００１３】
カール状あるいはリボン状に薄く平均的な厚みに削り取られ、へら部分（１）の上に乗ったバターをパンに置く。
【００１４】
パンに置かれたバターは薄く平均的な厚みのため、溶け易くへら部分（１）で容易にパンの面に塗り拡げることができ、パンを潰すことなく、パン全面に平均的に溶け込ませることができる。
【００１５】
バターをパンに塗る時は、刃部（３）はへら部分（１）と同一平面になるため、パンに引っかかることなくへらの働きをしている。
【００１６】
【発明の効果】
本発明を使用することによって、冷蔵庫で冷却され硬くなったバターでも、容易にナイフを前方に突き動かすだけで、安定してリボン状に薄く平均的な厚みに削り取ることが出来る。
【００１７】
リボン状に薄く削り取られ、パンに置かれたバターは、温められたパンによって容易に溶けやすく、パンの全面に平均的に、パンを潰すことなく、へら部分（１）で延ばし拡げることが出来る。
【００１８】
へら部分（１）と刃部（３）が同一面にあるため、バターを削り取る、バターをパンに塗る、という二つの動作を、ナイフを持ち替えることなく行うことが出来る。
【図面の簡単な説明】
【図１】本発明の斜視図である。
【図２】本発明の使用状態を示す斜視図である。
【図３】本発明の平面図である。
【図４】本発明の横断面図である。
【符号の説明】
１　へら部分
２　柄部分
３　刃部
４　開口部
５　刃台部
６　ソリ部
【図１】
2004121773.tif 000003
【図２】
2004121773.tif 000004
【図３】
2004121773.tif 000005
【図４】
2004121773.tif 000006
(57)【要約】【目　的】この発明は、運転席で軸付左前車輪の捻れ角度をメーターで見ながらボス付丸ハンドルを自分で回して超低速で進行方向へ誘動をして叉自在に回る右前車輪を倣い性に依りクツワを並べて前進するものである、左後輪を電動とし反対側の車輪は遊車とする【構成】カサベベル歯車から回転運動をマイターカサベベルに伝え更にメーターに伝え更に左前車輪にも伝える、最終的に倣い性に依り同一行動をとるやうにしたものである。【選択図】　図１
2004121774.tif 000002
【特許請求の範囲】
【請求項１】
電動に依って左後輪だけを回して反対車輪は遊車とする叉左前車輪は軸付とし自由に操作する事に依り自在に回る右前車輪を倣い性に依り同一歩調を取るよう誘導しクツワを並べて前進をする車いすのカサベベルピニオンから減速用のカサベベル歯車の回転運動に始まり左前車輪軸捻れの角度を示すメーターに即同時に伝える運転者はそのメーターを見ながら丸ハンドルを左右に回しながら前進を続ける、進行方向誘導装置装置付ボス付丸ハンドル電動、車いすの開発である、
【請求項２】
この車いすは、ボス付、丸ハンドルの操作を人それぞれの体格に合わせてハンドルの出入りが二段階に調整できる尚ハンドル角度も楽な姿勢で運転できる角度になっている尚速度は１時間に１０キロと超低速なので安全性が高い
【発明の詳細な説明】
【０００１】
【産業上の利用分野】
そこでこの進行方向誘導装置は、運転席の前外部のボックスに取り付けられたもので中には減速用のカサベベル歯車及び回転伝達用のマイターカサベベルが入っている、そこで運転室内に設置されたメーターには左前車輪の角度と現在位置を示す指針が中央線に従っているか確認後運転を始める、
車輪の角度を示すメーターを見易くする為回転運動を半減したカサベベル歯車は次に回転を伝いながらメーターえと進む一方右前車輪は倣い性に依りやがて右、左前車輪共にクツワを並べて一斉に前に進む
回し易いボス付、丸ハンドルの操作を人それぞれの体格に合わせてハンドルの出入りが調整できる尚ハンドル角度も楽な姿勢で運転出来る、尚、駐車の際は中央ラインに左前車輪がなるべく合致するやうにして駐車をする、
【０００２】
【従来の技術】
自走式　　従来の車いすは右、左の両方の車輪を両手で回す、
介助式　　介護の人から押してもらう
【０００３】
【発明が解決しようとする課題】
今まで高齢者は避けて通れない老齢えの道と核家族化えの不安を感じながらも自分で車いすの両輪を両手で回すか他の人から押して貰うより方法がなかったそこで今後は電動、車いすに乗ってメーターを見ながら回し易いボス付丸ハンドルを回しながら目標の所へ行くことができる車いすの開発である、
【０００４】
【課題を解決するための手段】
そこで今まで老齢者にとって無理な手動運転を取りやめ電動とし新開発の進行方向誘導装置を取り付け左前車輪の車輪軸とボス付丸ハンドルを直結させ車輪角度メーターを目で見ながら左前輪軸を自由に操作できるやうにして右前車輪を倣い性に依り進行方向を同調させクツワを並べて一斉に前進する、
【０００５】
【作用】
左前車輪を軸付とし自由に操作出来るやうにする
右自在前車輪を左軸付前車輪に歩調を合わせる
【０００６】
【実施例】
軸付前車輪に自在車輪が仲良く並び丸ハンドルを楽な姿勢で楽しく運転出来る
【０００７】
【発明の効果】
今迄全前輪自在車輪は取り扱いに苦慮したが左車輪軸を丸ハンドルで抑えることにより取り扱いが非常に楽になった
自家用車感覚で楽しく運転出来るので今迄家に引きこもりがちだった性格が変った
自分で運転出来るので他人に迷惑を掛けないので心の負担がかるくなった
超低速なので安全性が高い
近くの目標とする所へ何時でも行けるので行動範囲が広くなった
体の疲労が少ないので老齢者にとって最高のプレゼントである
【図面の簡単な説明】
【図１】進行方向誘導装置と車いすの車輪の現在捻れ角度を示すメーターの斜視図である
【図２】ボス付丸ハンドルと減速装置の側面図である、
【図３】車いすに於ける進行方向誘導装置の取り付及び原動機と減速プーリーの図である、
【図１】
2004121774.tif 000003
【図２】
2004121774.tif 000004
【図３】
2004121774.tif 000005
(57)【要約】【目的】遊戯台の前面カバー等の取付け用に着脱容易で且つガタツキがなく時には通電体としても使用出来る蝶番を提供することを目的とする。【構成】回転芯金１を固着した支持金具２と、押し込み方向前面に滑入傾斜面３と芯金収納部４を設けた固定金具９と、同じく前面に導入傾斜面５と芯金把持部６を備え且つ支点軸８を回転芯にバネ体１０の力で把握方向に回動する回動金具７とで蝶番本体を構成し、本発明では更にこの構成部品を導電体で製作し支持金具２と固定金具９にはそれぞれ端子接続部を設けて置く。【選択図】　　図１
2004121777.tif 000002
【特許請求の範囲】
【請求項１】
回転芯金（１）を固着した支持金具（２）と、前方に導入傾斜面（５）と芯金把持部（６）を備え且つ支点軸（８）にて支持された回動金具（７）と、同じく前方に滑入傾斜面（３）と芯金収納部（４）を備え且つ支点軸（８）を固持する固定金具（９）と、把持力を発生せしめるバネ体（１０）とで、構成される遊戯台のカバー等の取付け蝶番。
【請求項２】
請求項１を構成する各部品を導電性の金属で製作し且つ支持金具（２）と固定金具（９）にはそれぞれ端子接続部（１７）、（１８）を設けてなる遊戯台のカバー等の取付け蝶番。
【発明の詳細な説明】
【０００１】
【発明の属する技術分野】
本発明は各種遊戯台の前面カバー等の取付け用蝶番の構造に関する。
【０００２】
【従来の技術】
従来遊戯台の前面カバー等の蝶番には通常の扉用蝶番の他、点検が容易なるように着脱可能な蝶番として、例えばパチンコ台の前面カバーには、蝶番の回転芯金を軸芯方向にスライドさせて着脱させる構造のものが使用されている。
（　実願　昭６３−１１１９７５、　実願　平２−６１８９１、　参照。）
【０００３】
【発明が解決しようとする課題】
遊戯台の前面カバー等の蝶番は点検が容易に出来るように、着脱容易な構造である事が求められるが、例えばパチンコ台の前面カバー等に取付けられている蝶番のように、回転芯金を軸芯方向にスライドさせて着脱を計る構造のものでは、スライドを容易ならしめる為に回転芯金と受け穴の間に遊びすき間があり、その為取付けたカバー等にガタツキが生ずるという不都合がある。一方近年前面扉の電飾用の電源をケーブルを用いないで蝶番部で通電を行なう事により扉の開閉動作を円滑にし且つ組み立て作業を容易にしたいと云う要望もありその為にはその着脱式蝶番部も通電時接触不良を起こさないような接続部がしっかりと把持される構造のものにする必要がある。　本発明では着脱容易で尚且つガタツキのない遊戯台の前面カバー等の取付け蝶番を提供する事を目的とする。
【０００４】
【課題を解決するための手段】
本発明では蝶番の回転芯金を、同芯金を収納するＵ字形収納部にクサビ効果を生ずるような勾配面で押付け把持することによって、ガタツキのない蝶番構造を構成した。
【０００５】
【発明実施の形態】
本発明の実施の形態を実施例にもとづき図面を参照にして説明する。
図１は本蝶番の構造の側断面を示したものであるが、蝶番の回転芯金１は支持金具２に固着されており、一方その回転芯金１を収納把持する固定金具９は前方に滑入傾斜面３とＵ字形をした芯金収納部４を備え且つ支点軸８を固持している。そしてその支点軸８を支点として回動する回動金具７には又前方に導入傾斜面５と接触面が回転方向に対してクサビ角２４をなす芯金把持部６と後方左方にストッパー部１２と右方にバネフック部１１とが設けてある。そして支点軸８を芯にして取り付けたつる巻きバネ体１０は回動金具７に対してバネフック部１１を介して回転芯金１を把持する方向に力が働くようにしてある。　尚また固定金具９と支持金具２には各取り付け用の固定ネジ１６の他に通電接続用の端子接続部１７と、１８が各々取り付けてある。
図２は上記の様に構成された蝶番本体１９を正面から見たもので、各構成体の内、支持金具２と固定金具９と回動金具７を導電性の金属板金で、芯金１と支点軸２は同じく導電性の金属棒で製作し、この様にして構成された蝶番本体１９を固定ネジにて取り付ける内枠本体１５と扉本体１４の取り付け部位は樹脂等の非導電材を使用して構成したものである。
図３は以上の様にして構成した蝶番本体１９をパチンコ遊戯台の前扉本体２１や受皿扉本体２２に取り付けた実施例の正面図である。
【０００６】
【発明実施の効果】
本発明を実施した蝶番によれば、回転芯金１は固定金具９のＵ字形の芯金収納部４と回動金具７の芯金把持部６とでバネ体１０の弾性力によって把握され而も芯金把持部６の接触面と回転方向との間にはクサビ角２４があるので回転芯金１の把握にはバネ体１０による回転力をクサビ効果によって倍力した力が作用することになり強力に把持されることになる。従って支持金具２と固定金具９との間にガタツキはなく、それらを取付けた内枠本体１５と扉本体１４との間にもガタツキはないものとなる。　尚本発明の構造を採用した蝶番の着脱は、まず扉装着時には扉側の支持金具２に固着した回転芯金１を押し込み方向矢印１３の方向から押付けると回転芯金１は固定金具９の滑入傾斜面３に当たりながら回動金具７の導入傾斜面５を勾配効果によってバネ力に打ち勝って押し開き芯金収納部４に入り込みその時点で回動金具７の芯金把持部６が閉じて回転芯金１は固定金具９側に把握された事になり即ち装着したことになる。　　次に取り外すときは回動金具７のバネフック部１１付近を後方即ち固定金具９の内枠本体１５への取り付け面方向に押しつければ回動金具７は回転方向矢印２３と逆方向に回転して芯金把持部６は開き回転芯金１は装着時と逆に押し込み方向矢印１３と反対方向に抜き出し外す事が出来る。
尚本発明品を先記発明実施の形態で記した様に導電体で構成すれば回転芯金もしっかり把握されているので接触不良の懸念なく通電体として使用する事が出来る。
【０００７】
以上のように本発明品によれば、装着時にはガタツキがなく、且つ着脱が容易で時には電源供給用の通電体として使用できる遊戯台のカバー等の取付け蝶番を提供することが出来る。
【図面の簡単な説明】
【図１】本発明の実施例の側断面図である。
【図２】本発明実施例の正面図である。
【図３】本発明品取り付け実施例の正面図である。
【符号の説明】
１　　回転芯金
２　　支持金具
３　　滑入傾斜面
４　　芯金収納部
５　　導入傾斜面
６　　芯金把持部
７　　回動金具
８　　支点軸
９　　固定金具
１０　　バネ体
１１　　バネフック部
１２　　ストッパー部
１３　　押し込み方向矢印
１４　　扉本体
１５　　内枠本体
１６　　固定ネジ
１７、１８　端子接続部
１９　　蝶番本体
２０　　外枠本体
２１　　前扉本体
２２　　受皿扉本体
２３　　回転方向矢印
２４　　クサビ角
【図１】
2004121777.tif 000003
【図２】
2004121777.tif 000004
【図３】
2004121777.tif 000005
(57)【要約】【課題】電子レンジで安定して適度の加熱、保温が可能であり、しかも、肌にも優しい温熱パックを提供する。【解決手段】温灸パックを、もぐさ成分に、塩及び／又は砕石と共に、米糠を混合した混合物を布製袋に封入したものとする。混合物中、もぐさ成分が２５重量％以上、米糠が１７〜２６重量％、塩が１０〜１８重量％、石灰岩砕石が２０〜３５重量％となるようにするのが好ましく、また、もぐさ成分は、よもぎ粉末ともぐさの混合物からなるものとするのがよい。【選択図】　なし【特許請求の範囲】
【請求項１】
もぐさ成分に、塩及び／又は砕石と共に、米糠を混合した混合物を布製袋に封入したものであることを特徴とする電子レンジで加熱して使用する温熱パック。
【請求項２】
前記混合物中に、もぐさ成分が２５重量％以上、米糠が１７〜２６重量％、塩が１０〜１８重量％、石灰岩砕石が２０〜３５重量％含まれることを特徴とする請求項１の温熱パック。
【請求項３】
もぐさ成分が、よもぎ粉末ともぐさの混合物からなることを特徴とする請求項１又は２の温熱パック。
【発明の詳細な説明】
【０００１】
【発明の属する技術分野】
本発明は、電子レンジで加熱して使用できる温熱パックに関する。
【０００２】
【従来の技術】
電子レンジで加熱して使用する温熱パックとしては、蛇紋石等の天然石とモグサ等の天然薬草を組み合わせて使用したもの（特許文献１参照）、アラミド繊維製の収容具に多孔質セラミック粒を収納したもの（特許文献２参照）、塩と薬草を使用するもので、薬草としてヨモギとビワ葉を使用したもの（特許文献３参照）等が存在する。このような温熱パックは、ある程度の使用効果はあるが、電子レンジでの安定した加熱・保温という点で問題があった。
【０００３】
【特許文献１】特開平４−２４２６６５号公報
【特許文献２】特開平９−２２５００５号公報
【特許文献３】特開平１０−２８７１９号公報
【０００４】
【発明が解決しようとする課題】
本発明は、電子レンジで安定して適度の加熱、保温が可能であり、しかも、肌にも優しい温熱パックを提供することを課題とする。
【０００５】
【課題を解決するための手段】
本発明では、温熱パックを、もぐさ成分に、塩及び／又は砕石と共に、米糠を混合した混合物を布製袋に封入することにより、前記課題を解決した。
【０００６】
本発明の温熱パックは、もぐさ成分により施灸効果が期待でき、しかも、塩及び／又は砕石により保温効果の持続性を高めると共に、身体にフィットした適度の重量感を得ることができるものであり、更に、適度に吸湿性のある米糠の使用により電子レンジでの加熱を常に適温に調節できるものとなる。なお、米糠は、皮膚に対する治療効果も期待できるものである。
【０００７】
前記混合物中、各成分の比率は特に限定されないが、一般に、もぐさ成分が２５重量％以上、米糠が１７〜２６重量％、塩が１０〜１８重量％、石灰岩砕石が２０〜３５重量％となるようにするのが好ましい。
【０００８】
本発明の製品において、もぐさ成分は、もぐさからなるものであってもよいが、懐かしい早春の草の香りを楽しむことができ、またその他の成分と均一に混合し易いということから、少なくとも一部によもぎ粉末（もぐさ粕）を、使用するのがよい。なお、かかるもぐさ成分は、混合物中２５重量％以上、特に３０〜５０重量％程度となるように使用されるのが好ましい。
【０００９】
次に砕石（一般に、石灰岩砕石を使用する）は、一度温まれば蓄熱（保温）効果があるため、温熱パックの温熱を持続するのに効果がある。また、温熱パックは肩や腰などに載せて使用するが、もぐさや米糠は軽いため、砕石の添加は、温熱パックの比重を高め、身体への密着性をよくするのにも役立つ。製品の肌当たり、保温性等から、かかる砕石は、混合物中２０〜３５重量％、特に２５〜３０重量％程度であるのが好ましい。
【００１０】
塩も砕石と同様の効果を有するものであるが、小粒状でもぐさと混合できるため、もぐさの有効成分の身体への浸透を高める効果が強い。ただし、塩は種類によっては潮解性があるため、米糠を使用する本発明では、塩の使用量は、混合物中１０〜１８重量％、特に１２〜１６重量％程度であるのが好ましい。
【００１１】
なお、電子レンジで加熱するには水分が存在することが必須であるが、本発明では、米糠の使用により、加熱温度を適度に調節すること可能となる。米糠は適度の水分を含有し、加熱し、蒸気が出ても、濡れてしまうことがなく、しかも、乾燥しても空気中の水分を吸収し保湿するので、温熱パックを繰り返し、効率よく使用可能とする。かかる米糠の使用量は、混合物中、１７〜２６重量％、特に１９〜２４重量％程度であるのが好ましい。
【００１２】
【発明の実施の形態】
次に、本発明を実施例に従って、更に詳しく説明する。
２７ｃｍ×２０ｃｍの木綿製の袋に、下記成分の混合物を封入し、温熱パックとした。
もぐさ粕（よもぎ粉末）　　　　　　　２００ｇ
米糠　　　　　　　　　　　　　　　　１５０ｇ
塩（糸魚川の温泉より噴出される塩）　１００ｇ
石灰石砕石　　　　　　　　　　　　　２００ｇ
もぐさ　　　　　　　　　　　　　　　　５０ｇ
．　　　　　　　　　　　　　合計　　７００ｇ
【００１３】
この製品を、家庭用電子レンジで１分３０秒加熱し、患部にタオルを当て、その上に置いた。この製品は、電子レンジにより、容易に加熱され、その温度は長時間保たれ、患部に、心地よい施灸効果を発揮する。
【００１４】
なお、この製品は、肩に当てたり、うつ伏せになって腰に当てたりしても、適度の重量感で、非常にフィット性よく、使用できるものであり、長時間使用しても、製品がずれ落ちることなく、心地よく使用できた。
【００１５】
また、もぐさの香と米糠のエッセンスにより、精神的にも、安らぎを得ることができるものとなった。
【００１６】
【発明の効果】
本発明の製品は、米糠の使用により、電子レンジで安定して加熱でき、繰り返し使用することが可能である。また、もぐさと共に米糠を使用するため、薬効も強く期待でき、更に、砕石や塩の存在で、適度の重量感を保ち、身体にフィットした使用が可能となる。
(57)【要約】【課題】ガステーブルで、食品を焼くときに、小さい食品や、細い食品が、網目の間から落ちないために、従来の、ガステーブル用焼き網（横網目）と、重ねて使用できる、ガステーブル用縦網目焼き網を提供する。【解決手段】従来のガステーブル用焼き網（横網目）と重ねて使用出来、内部の網目が、縦方向になっていることを特徴とする。【選択図】図１
2004121787.tif 000002
【特許請求の範囲】
【請求項１】
ガステーブル用焼き網の、内部の網目（１）を、縦方向にし、かつ、従来のガステーブル用焼き網（横網目）と、重ねて使用できる大きさにした、ガステーブル用縦網目焼き網。
【発明の詳細な説明】
【０００１】
【発明の属する技術分野】
本発明は、料理用器具に関している。
【０００２】
【従来の技術】
従来のガステーブル用焼き網の網目は横方向（２）だけである。
（図２）
【０００３】
【発明が解決しようとする課題】
従来のガステーブル用焼き網（図２）の網目は、横方向（２）だけであるので、小さい食品、細い食品を焼くと、往々にして、網目の間から、落ちてしまう（図３）。また、網目の間隔を、狭くすることは、食品の焼き具合、焼けた食品の取り出し方の関係で、これ以上狭くすることは、出来ない。ガステーブルの焼網を、縦横の網目にすると、調理後に、清潔に洗うことが困難になる。
【０００４】
【課題を解決するための手段】
そこで、本発明のガステーブル用縦網目焼き網においては、焼き網の内部の網目（１）を縦方向にした。（図１）また、焼き網全体の大きさを、従来の焼き網全体の大きさより、一回り小さくして、従来のガステーブル用焼き網（横網目）と、本発明の、ガステーブル用縦網目焼き網を重ねて使用できるようにした。
【０００５】
【発明の実施の形態】
以下、本発明の実施形態について説明する。
（イ）従来のガステーブル用焼き網（横網目）と同様、金属を使用して、製造する。
（ロ）従来のガステーブル用焼き網（横網目）より、全体を一回り小さくする。（ハ）本発明のガステーブル用焼き網の内部の網目は、縦（１）にする。（図１）
本発明は、以上の構成よりなっている。
本発明を使用するときは、
（イ）本発明のガステーブル用縦網目焼き網、単独でも使用できる。
（ロ）また、小さい食品、細い食品を焼くときには、従来のガステーブル用焼き網（横網目）に重ねて使用する。（図４、５）
【０００６】
【発明の効果】
本発明は、以上説明したように構成されているので、以下に記載されるような効果を奏する。
（イ）本発明のガステーブル用縦網目焼き網を、従来のガステーブル用焼き網（横網目）に重ねて使用することによって、小さい食品、細い食品も、網目の隙間から落ちることがない。
（ロ）焼けた食品を取り出すときは、重ねてある焼き網の上部の焼き網を、少し浮かすなどすれば、食品は、容易に焼き網から取れる。
（ハ）調理後に、焼き網を洗うについては、本縦網目焼き網と、従来の焼き網（横網目）は、別々なので、容易に清潔に洗える。
（ニ）従来のガステーブル及び、それに付属する焼き網を、そのまま使用でき、しかも、より便利になる。
【図面の簡単な説明】
【図１】本発明の、ガステーブル用縦網目焼き網の正面図。
【図２】従来の、ガステーブル用焼き網（横網目）の正面図。
【図３】従来の、ガステーブル用焼き網（横網目）の使用図。
【図４】本発明の、ガステーブル用縦網目焼き網と、従来の、ガステーブル用焼き網（横網目）を、使用する場合の図。
【図５】本発明の、ガステーブル用縦網目焼き網と、従来のガステブル用焼き
網（横網目）を、重ねて使用した図。
【符号の説明】
１．縦の網目
２．横の網目
【図１】
2004121787.tif 000003
【図２】
2004121787.tif 000004
【図３】
2004121787.tif 000005
【図４】
2004121787.tif 000006
【図５】
2004121787.tif 000007
(57)【要約】【課題】体に張ったときに剥がれにくくファッショナブル性をもたせた湿布またはハップ剤を提供する。【解決手段】角を無くし楕円形の形状の湿布またはハップ剤にし、絵や文字を印刷し耐水加工を施したことを特長とする。【選択図】　図１
2004121784.tif 000002
【特許請求の範囲】
【請求項１】
楕円形の形状を持ち、体に張ることを特長とする暖めまたは冷すための湿布またはハップ剤。
【請求項２】
楕円形の形状を持ち、体に張る面の反対面に耐水加工を施したことを特長とする暖めまたは冷すための湿布またはハップ剤。
【請求項３】
楕円形の形状を持ち、体に張る面の反対面に絵や文字、記号を印刷したことを特長とする暖めまたは冷すための湿布またはハップ剤。
【発明の詳細な説明】
【０００１】
【発明の属する技術分野】この発明は、暖めまたは冷すために体に張る湿布またはハップ剤の形状を楕円形にすること、体に張る面の反対面に耐水加工を施すこと、その面に絵や文字、記号を印刷することに関するものである。
【０００２】
【従来の技術】従来湿布またはハップ剤は形状が長方形のものが大半で、一部小さな円形のものがあるだけであり楕円形のものはなく、また耐水加工を施したり絵などの印刷されているものはキズテープにあるだけであった。
【０００３】
【特許文献１】特開２００２−１８６６３９号（円形の湿布）
【０００４】
【発明が解決しようとする課題】本発明者は、市販されている湿布やハップ剤が長方形だと体に張ったあとに体の動きで角の部分から乾いて固くなり、剥がれやすくなるので、どのような形状だと剥がれにくくて体に張ったときのファショナブル性があるかを調査した。
【０００５】
【課題を解決するための手段】その結果、市販の湿布やハップ剤をさまざまな形に切って張ってみて、体は平らな面よりも曲面部分が多いために体の動きに合わせ角の部分から乾いて固くなり剥がれやすくなることを防ぐためには角を無くす必要性があった。また、広い面に張ろうとすると丸型だと大きな湿布またはハップ剤が必要になるので楕円形が適性であることを確信した。
【０００６】
【発明の実施の形態】本発明で、楕円形の湿布またはハップ剤だと角が無いので剥がれにくく広い面に張れることができ、市販のものは白いフェルト状の繊維の面のものが大半なので、張っているときに汚れにくくすることとファッショナブル性を考え、耐水加工を施すことと、絵や文字を印刷することにより張っているときのファッショナブル性を持たせることができる。
【０００７】
【発明の効果】この発明によれば、痛みなどで湿布またはハップ剤をはるときに体の動きや角の部分から固くなって剥がれやすくなることを防ぐことができ、耐水加工を施すことにより張っているときに汚れにくくさせることができる。
また、絵や文字を印刷することにより痛みを気分的に和らげたり、張っているときの怪我というイメージからファッショナブル性の感覚をもってみることもでき、従来からの湿布またはハップ剤から更なる利用価値と需要を望むことができる。
【図面の簡単な説明】
【図１】本発明の斜視図である。
【図２】本発明の使用例を示す斜視図である。
【符号の説明】
１湿布またはハップ剤　　　２印刷された絵や文字
【図１】
2004121784.tif 000003
【図２】
2004121784.tif 000004
(57)【要約】【課題】一般の家庭内でも気軽に使用することの出来る、自重を利用して頸椎、腰椎及び骨盤等に負担のかからない脊柱、骨盤の矯正装置を提供することである。【解決手段】基盤上の左右に立設する、筒状の摺動自在に嵌合する支柱の頂部に水平方向の横棒を渡して固定して門型の枠体を構成し、前記横棒に、端部に骨盤保持帯即ちコルセットを設ける吊り下げ用具の多端を取り付けると共に、前記基盤のほぼ中央部に取り外し自在の腰掛け用台座を設け、この台座上に未使用時には重ねて置く脚台を設けて、使用時にはこの脚台を外して足を乗せ、前記コルセットで腰部を固定し、前記吊り下げ用具で腰部を座った状態で吊り下げて、人体を浮かして使用する脊柱、骨盤の矯正装置として課題を解決している。【選択図】　　　　　図１
2004121785.tif 000002
【特許請求の範囲】
【請求項１】
摺動自在に嵌合する伸縮可能の支柱を左右に立設する基盤の略中央部に、腰掛け用台座を取り外し可能に配置し、前記左右の支柱の頂部に渡して設ける棒状体に、端部に骨盤保持帯を有する吊り下げ用具を取り付けると共に、前記台座に、未使用時に脚台を脱着自在に重ね、使用時には、前記脚台を前記台座から外して脚を乗せて、台座に座った儘の状態に在る人体の腰部を前記吊り下げ用具に依って支え、台座を下方に下げることに依り、骨盤部を浮かした状態で使用する脊柱骨盤矯正器。
【発明の詳細な説明】
【０００１】
【発明の属する技術分野】
本発明は、首痛、腰痛或いは骨盤の歪み等を矯正する器具に関するものである。
【０００２】
【従来の技術】
従来、病院等で実施されている首痛の治療にあっては、頭部に２点或いは４点吊りの係蹄を装着し、人体に合う高さに、バスタオル等を枕代わりにして、傾斜するベッドに仰向けに寝た状態で、係蹄のロープを滑車を介して錘に依り高さの調節を行いながら牽引するものであり、グリソン牽引或いは実用新案登録第１６７０６１１記載の器具の例がある。
この場合に、ベッドに寝た状態にあるか或いは椅子に座った状態にあっても、身体は斜め上か真上に牽引され、頸椎に多大の負担がかかることになる。
【０００３】
又、従来の腰痛治療は、腰部に牽引用腰巻具を付け、ベッドに仰向けに寝た状態で、上記従来例の方法に依り身体を真横（水平方向）に牽引するもので、腰椎、骨盤に負担が要かることになる。
【０００４】
特開２００１−７０３２６記載の骨盤矯正器においては、基盤上に設ける座板に座り、滑車の付いた足台で両足を屈伸する事で骨盤の歪みを矯正するものであり、上記の実施例と共に、いずれの場合でも骨盤が固定されているものである。そのために腰上部の自重が腰部に集中し腰椎、骨盤に負担が要かる器具となっている。
【０００５】
上記、牽引療法以外に、針灸療法、薬物療法或いは温熱療法などが一般に行われているが、治療のために病院で長時間待たされる或いは長期間の入院が必要になる等の問題がある。
人体の中でも骨盤は極めて大切な部分であり、その骨盤が歪むと腰椎、胸椎、頸椎も歪むことになり、それによる病症も生じ、特に中高年層の病気として問題になることもある。
【０００６】
【発明が解決しようとする課題】
本発明は、上記従来技術に於ける問題に鑑みなされたものであり、一般の家庭内でも気軽に使用することの出来る、自重を利用して頸椎、腰椎及び骨盤等に負担の要からない脊柱、骨盤の矯正装置を提供することである。
【０００７】
【課題を解決するための手段】
基本的には、基盤上の左右に立設する支柱をパイプ等の嵌合により伸縮自在に構成し、前記支柱のほぼ頂部に横渡しする水平方向の棒状体を設けて、全体を門型に形成する枠体の前記棒状体に、端部に骨盤保持帯即ちコルセットを有する吊り下げ用具を取り付けるとともに、前記基盤のほぼ中央部に取り外し可能に、腰掛け用台座を設け、未使用時には該台座に脚台を重ねて置き、使用時に該脚台を外して足を乗せることで、座った状態の儘、人体を浮かすことの出来る脊柱、骨盤の矯正装置として課題を解決している。
【０００８】
【発明の実施の態様】
発明の実施態様を図面に示す実施例に沿って詳述する。
図１、図２及び図３は、本発明の一実施例に於ける外観図である。比較的硬質の素材で形成する基盤１の左右に支柱２を立設し、支柱２の頂部に横渡しする棒状体３を固定して門型枠を構成して成る。支柱２は基盤１上に固定するパイプ２−１とこのパイプ２−１に摺動自在に嵌合する円柱体２−２とにより成り、左右の支柱２と棒状体３はエルボ４に依って固定されている。基盤１のほぼ中央部に台座５を基盤１から脱着或いは移動可能に設置し、台座５に、未使用時には脚台６を重ねて、セット前の腰掛けかさ台として置く。棒状体３に人体の吊り下げ用具７としての２本のベルトの一端を固定し、ベルトの多端にはコルセット８を設けてある。
【０００９】
腰掛け用の台座５は、高さの固定されている通常の椅子でも使用に問題が無いが、既存の上下に高さを調節出来るものであれば機構を問わず採用することが可能であり、より望ましい使用方法となる。又吊り下げ用具７もフックを用いて引っかけて吊り下げるベルト等人体を支えうる程度の強度を有するものであれば、その構造を問わず採用し得るものである。更に、棒状体３に吊り下げ用具７を取り付ける際に位置を変えて固定する或いは２本のベルトではなく３本のベルトで吊る等の設計変更は自由であり、いずれも本発明の技術範囲に属するものである。
【００１０】
本発明に於ける矯正器の使用にあたっては、使用者は自信の腰部をコルセット８で固定し、台座５に座り、足を延ばして、台座５から外した脚台７に乗せ、その状態で台座５を、例えば付属するレバー等により位置を下げて行くと、座った儘の姿勢で骨盤部が、吊り下げ用具７により支えられて浮いた状態になり、腰部に張力が働き腰部より上方の自重が腰椎、骨盤に負荷として作用せず、結果として腰椎、骨盤部の歪みが矯正されると共に頸椎、胸椎、腰椎の歪みも解消されることになる。
【００１１】
【発明の効果】
以上説明した本発明に関わる器具において、発明者自身の過去５年間に亘る使用に拠り、その効果即ち腰椎、骨盤の歪みを矯正する効果を実証するもので、課題を十分に解決しているものである。
【図面の簡単な説明】
【図１】本発明の一実施例を示す斜視図である。
【図２】図１に於ける正面外観図である。
【図３】図１に於ける側断面図である。
【符号の説明】
１　　　　基盤
２　　　　支柱
３　　　　棒状体
４　　　　エルボ
５　　　　台座
６　　　　脚台
７　　　　吊り下げ用具
８　　　　コルセット
【図１】
2004121785.tif 000003
【図２】
2004121785.tif 000004
【図３】
2004121785.tif 000005
(57)【要約】　　　（修正有）【課題】狙いの方向線にフェースを直角に合わせる初動作、及びフェースのスイートスポットでボールの中心をヒットすることを容易にし、また、シャフト角度とスタンス位置を自由にし視線を安定させヒットを正確にし、さらに、軌跡が直線を描き易いゴルフパットを提供する。【解決手段】縦長の筒状のヘッドをストローク線に沿ってシャフトに取り付けたハンマー型ゴルフパットであって、フェイス面をボールよりやや大きい径の円形又は多角形とし、シャフトの下部をクランク状とし、ヘッドの長さの中心で接続し、ヒット直前及びフォロースルーのターフとの接触を避けるようにヘッドの底辺の先端の角をまるめ、中心から後端にかけてわずかに上向のカーブをもたせるようにしたゴルフパット。【選択図】図２
2004121770.tif 000002
【特許請求の範囲】
【請求項１】
円／楕円又は多角形の筒状のヘッドをストローク線（ボール走行線）に沿ってシャフトに取り付けたゴルフパット…図１
（ポロ−マレットやゲートボール−スティックと類似の形状）
【発明の詳細な説明】
【０００１】
［発明の特徴］
（１）スイング（テークバックからフォロースルー）の垂直軌道が狙った方向を辿るように縦長の筒状とし、視野（横長）と振り子の軌道原理を併用した…図１、２、４
（２）フェイス面をボールをやや上回る径の円形又は多角形とし、フェースの中心（スイ−トスポット）でヒットしやすくした…図１、２
（３）シャフトの下部をクランク状としヘッドの長さの中心で接続し、上記（１）の安定性を保持し、また上記（２）の視線がグリップの稜線からヘッドのフェイス面を辿るので正確なヒットが容易となった…図１、２、３
（４）ヘッド底面が円形又は多角形であるためスタンス及びシャフトの角度を自由にとることが出来るようにした…図３
（５）ヘッドの底辺の先端の角をまるめ、中心から後端にかけてわずかに上向のカーブをもたせヒット直前及びフォロースルーのターフとの接触を避けた…図２
【０００２】
［従来の形状の問題点と本発明の効果］
従来のパットはそのヘッド部分が狙いの方向線に対して直角に長いフェースをもち、狙い通りにヒットする上で次の難点があったが、本発明はこれらを大幅に軽減ないしは解消するものである
（１）狙いの方向線にフェースを直角に合わせる初動作、およびフェースのスウィートスポットでボールの中心をヒットすることに狂いが出やすい…図３
（２）シャフトとヘッドの角度が固定され、スタンスの位置の幅が少ない…図３
（３）ヒッティングの軌跡が水平方向の直線でなく弧を描くきらいがある（パット重力を制御しにくい）…図５
【図面の簡単な説明】
【図１】概観図　　　　　　　　本発明の形状を分かりやすく図示したもの
【図２】側面図　　　　　　　　シャフトとヘッドの形状を示したもの
【図３】横から見た図　　　　　従来のタイプと対比しスタンスおよび目視線を示したもの
【図４】正面斜め上から見た図　従来のタイプと対比しヘッド形状とパッティング軌道を示したもの
【図５】前から見た図　　　　　従来のタイプと対比しシャフトとフェース及びヘッドとボールの軌跡を示したもの
【図１】
2004121770.tif 000003
【図２】
2004121770.tif 000004
【図３】
2004121770.tif 000005
【図４】
2004121770.tif 000006
【図５】
2004121770.tif 000007